(57)【要約】【課題】マット自体を替えることなく、広告を差し替えることができ、宣伝広告の変更要求に即時かつ適時に対応することができるフロアーマットを提供する。【解決手段】フロアーマット１０Ａは、所定面積の足拭きマット１１と、足拭きマット１１に連結手段を介して着脱可能に連結される所定面積の設置マット１２と、設置マット１２の上に載置されて広告シートを着脱可能な所定面積の広告マット１３とから形成されている。フロアーマット１０Ａでは、広告シートが下部プレートと上部プレートとの間に挟まれた状態で固定され、上部プレートの周縁部が下部プレートの周縁部と連結フレームの内周縁部との間に挟まれた状態で固定される。【選択図】図１
2012024466.tif 000002
【特許請求の範囲】
【請求項１】
所定面積の足拭きマットと、前記足拭きマットに連結手段を介して着脱可能に連結される所定面積の設置マットと、前記設置マットの上に載置されて所定の宣伝広告を掲載する所定面積の広告マットとを備え、
前記広告マットが、前記宣伝広告を表示した広告シートを着脱可能に載置する可撓性の下部プレートと、前記下部プレートの上に着脱可能に載置する可撓性の透明な上部プレートと、前記上下部プレートの周縁部の上に着脱可能に載置する可撓性の連結フレームとから形成され、前記連結フレームが、前記設置マットの周縁部に重なり、該設置マットの外側に向かうにつれて下り勾配に傾斜する外周縁部と、前記下部プレートの周縁部に第１係合手段を介して着脱可能に係合し、前記設置マットの内側に向かうにつれて下り勾配に傾斜する内周縁部とを有し、前記広告シートが、前記下部プレートと前記上部プレートとの間に挟まれた状態で固定され、前記上部プレートの周縁部が、前記下部プレートの周縁部と前記連結フレームの内周縁部との間に挟まれた状態で固定される足拭き機能および広告機能付きフロアーマット。
【請求項２】
前記広告マットでは、前記上部プレートの周縁部と前記下部プレートの周縁部とのうちの互いに重なり合う部分が第２係合手段を介して着脱可能に係合する請求項１に記載の足拭き機能および広告機能付きフロアーマット。
【請求項３】
前記連結フレームの内周縁部が、前記上部プレートの周縁部に当接する当接部分と、前記当接部分の外側に位置して上下方向下方へ凸となる凸部分と、前記凸部分の外側に位置して上下方向上方へ凹む凹部分とを有し、前記下部プレートの周縁部と前記固定フレームの内周縁部の凹部分とが、前記第１係合手段を介して着脱可能に係合する請求項１または請求項２に記載の足拭き機能および広告機能付きフロアーマット。
【請求項４】
前記連結フレームの内周縁部の当接部分と前記上部プレートの周縁部とが、第３係合手段を介して着脱可能に係合する請求項３に記載の足拭き機能および広告機能付きフロアーマット。
【請求項５】
前記第１係合手段が、前記連結フレームの内周縁部の凹部分に取り付けられたメカニカルファスナの雄ファスナと雌ファスナとのいずれか一方と、前記下部プレートの周縁部に取り付けられたメカニカルファスナの雄ファスナと雌ファスナとのいずれか他方とである請求項３または請求項４に記載の足拭き機能および広告機能付きフロアーマット。
【請求項６】
前記第２係合手段が、前記上部プレートの周縁部と前記下部プレートの周縁部とのいずれか一方に貼着された粘着剤である請求項２ないし請求項５いずれかに記載の足拭き機能および広告機能付きフロアーマット。
【請求項７】
前記第３係合手段が、前記連結フレームの内周縁部の当接部分と前記上部プレートの周縁部とのいずれか一方に貼着された粘着剤である請求項４ないし請求項６いずれかに記載の足拭き機能および広告機能付きフロアーマット。
【請求項８】
前記足拭き機能および広告機能付きフロアーマットでは、前記足拭きマットの端部と前記設置マットの端部とが前記連結手段を介して連結され、前記連結手段が、前記足拭きマットの端部に取り付けられたメカニカルファスナの雄ファスナと雌ファスナとのいずれか一方と、前記ラバーマットの端部に取り付けられたメカニカルファスナの雄ファスナと雌ファスナとのいずれか他方とである請求項１ないし請求項７いずれかに記載の足拭き機能および広告機能付きフロアーマット。
【請求項９】
前記足拭きマットが、ゴム系素材から作られたラバー部と、前記ラバー部の上に形成された足拭き用のパイル部とを備え、前記設置マットが、前記ラバー部と同一のゴム系素材から作られ、前記設置マットの端部が、前記足拭きマットの端部の下に所定面積重なった状態で連結され、前記連結手段が、前記設置マットの端部に前記足拭きマットのラバー部およびパイル部の重量が作用することによる該設置マットの端部と該足拭きマットのラバー部との摩擦係合力である請求項１ないし請求項７いずれかに記載の足拭き機能および広告機能付きフロアーマット。
【請求項１０】
前記設置マットの前記足拭きマットと連結する端部を除いた残余の端部には、該設置マットの内側に向かって延びる可撓性のフランジ部が形成され、前記フロアーマットでは、前記広告マットを前記設置マットの上に載置したときに、前記連結フレームの外周縁部が前記設置マットの端部とフランジ部との間に挟まれた状態で固定される請求項８または請求項９に記載の足拭き機能および広告機能付きフロアーマット。
【請求項１１】
前記上部プレートが、前記下部プレートに対向する透明なＰＥＴ樹脂シートと、前記ＰＥＴ樹脂シートの前記下部プレートに対する非対向面に配置された透明な保護シートとから形成され、前記保護シートが、透明な合成樹脂と前記合成樹脂に練り込まれた透明なセラミック粉末とから作られ、前記ＰＥＴ樹脂シートの非対向面に塗布された透明なＵＶ樹脂をバインダーとして前記非対向面に接合されている請求項１ないし請求項１０いずれかに記載の足拭き機能および広告機能付きフロアーマット。
【発明の詳細な説明】
【技術分野】
【０００１】
本発明は、足拭き機能と宣伝広告機能とを備えた足拭き機能および広告機能付きフロアーマットに関する。
【背景技術】
【０００２】
足拭きマットの製造およびレンタルを行う足拭きマット事業者と、足拭きマット事業者との契約によって足拭きマットに広告を掲載する広告主と、足拭きマット事業者との契約によって広告が掲載された各種広告付き足拭きマットの設置場所を提供する場所提供者との関係から構築された広告方法がある（特許文献１参照）。この広告方法は、足拭きマット事業者が広告主からの依頼により、製造およびレンタル契約した足拭きマットに広告を掲載し、その広告付き足拭きマットを場所提供者の提供する設置場所において利用者の多くなる時期に応じて選択的に移動設置し、広告付き足拭きマットの設置期間に応じた対価を足拭きマット事業者が場所提供者に支払う。この広告方法は、広告付き足拭きマットを利用者の多くなる時期に応じて選択的に移動設置するから、広告付き足拭きマットの宣伝効果を向上させることができる。
【先行技術文献】
【特許文献】
【０００３】
【特許文献１】特開２００４−１７０８４６号公報
【発明の概要】
【発明が解決しようとする課題】
【０００４】
前記特許文献１に開示の広告方法に使用するマットは、その足拭き部分の表面に所定の広告を掲載するから、広告を変更する場合、マット自体を別の広告を掲載したそれに差し替えなければならず、その分の手間と費用とがかかる。また、この広告方法に使用するマットは、それを残した状態で広告の差し替えを行うことができず、宣伝広告を自由に替えることができないから、一つのマットで多種多様な広告を掲載することができず、宣伝広告の変更要求に即時かつ適時に対応することができない。さらに、マットの使用によって足拭き部分の足拭き機能が低下した場合、マット自体を新たなそれに替えなければ、足拭き部分の足拭き機能を回復させることができないから、常に足拭き機能を有する状態で広告機能を発揮することができない。
【０００５】
本発明の目的は、マット自体を替えることなく、広告を差し替えることができ、宣伝広告の変更要求に即時かつ適時に対応することができる足拭き機能および広告機能付きフロアーマットを提供することにある。本発明の他の目的は、常に足拭き機能を有する状態で広告機能を発揮することができる足拭き機能および広告機能付きフロアーマットを提供することにある。
【課題を解決するための手段】
【０００６】
前記課題を解決するための本発明にかかる広告機能付き足拭き機能および広告機能付きフロアーマットは、所定面積の足拭きマットと、足拭きマットに連結手段を介して着脱可能に連結される所定面積の設置マットと、設置マットの上に載置されて所定の宣伝広告を掲載する所定面積の広告マットとを備え、広告マットが、宣伝広告を表示した広告シートを着脱可能に載置する可撓性の下部プレートと、下部プレートの上に着脱可能に載置する可撓性の透明な上部プレートと、上下部プレートの周縁部の上に着脱可能に載置する可撓性の連結フレームとから形成され、連結フレームが、設置マットの周縁部に重なり、設置マットの外側に向かうにつれて下り勾配に傾斜する外周縁部と、下部プレートの周縁部に第１係合手段を介して着脱可能に係合し、設置マットの内側に向かうにつれて下り勾配に傾斜する内周縁部とを有し、広告シートが、下部プレートと上部プレートとの間に挟まれた状態で固定され、上部プレートの周縁部が、下部プレートの周縁部と連結フレームの内周縁部との間に挟まれた状態で固定されることを特徴とする。
【０００７】
本発明の足拭き機能および広告機能付きフロアーマットの一例として、広告マットでは、上部プレートの周縁部と下部プレートの周縁部とのうちの互いに重なり合う部分が第２係合手段を介して着脱可能に係合する。
【０００８】
本発明の足拭き機能および広告機能付きフロアーマットの他の一例としては、連結フレームの内周縁部が、上部プレートの周縁部に当接する当接部分と、当接部分の外側に位置して上下方向下方へ凸となる凸部分と、凸部分の外側に位置して上下方向上方へ凹む凹部分とを有し、下部プレートの周縁部と固定フレームの内周縁部の凹部分とが第１係合手段を介して着脱可能に係合する。
【０００９】
本発明の足拭き機能および広告機能付きフロアーマットの他の一例としては、連結フレームの内周縁部の当接部分と上部プレートの周縁部とが第３係合手段を介して着脱可能に係合する。
【００１０】
本発明の足拭き機能および広告機能付きフロアーマットの他の一例としては、第１係合手段が、連結フレームの内周縁部の凹部分に取り付けられたメカニカルファスナの雄ファスナと雌ファスナとのいずれか一方と、下部プレートの周縁部に取り付けられたメカニカルファスナの雄ファスナと雌ファスナとのいずれか他方とである。
【００１１】
本発明の足拭き機能および広告機能付きフロアーマットの他の一例としては、第２係合手段が上部プレートの周縁部と下部プレートの周縁部とのいずれか一方に貼着された粘着剤である。
【００１２】
本発明の足拭き機能および広告機能付きフロアーマットの他の一例としては、第３係合手段が連結フレームの内周縁部の当接部分と上部プレートの周縁部とのいずれか一方に貼着された粘着剤である。
【００１３】
本発明の他の一例として足拭き機能および広告機能付きフロアーマットでは、足拭きマットの端部と設置マットの端部とが連結手段を介して連結され、連結手段が、足拭きマットの端部に取り付けられたメカニカルファスナの雄ファスナと雌ファスナとのいずれか一方と、ラバーマットの端部に取り付けられたメカニカルファスナの雄ファスナと雌ファスナとのいずれか他方とである。
【００１４】
本発明の足拭き機能および広告機能付きフロアーマットの他の一例としては、足拭きマットが、ゴム系素材から作られたラバー部と、ラバー部の上に形成された足拭き用のパイル部とを備え、設置マットが、ラバー部と同一のゴム系素材から作られ、設置マットの端部が、足拭きマットの端部の下に所定面積重なった状態で連結され、連結手段が、設置マットの端部に足拭きマットのラバー部およびパイル部の重量が作用することによる設置マットの端部と足拭きマットのラバー部との摩擦係合力である。
【００１５】
本発明の足拭き機能および広告機能付きフロアーマットの他の一例として、設置マットの足拭きマットと連結する端部を除いた残余の端部には、設置マットの内側に向かって延びる可撓性のフランジ部が形成され、フロアーマットでは、広告マットを設置マットの上に載置したときに、連結フレームの外周縁部が設置マットの端部とフランジ部との間に挟まれた状態で固定される。
【００１６】
本発明の足拭き機能および広告機能付きフロアーマットの他の一例としては、上部プレートが、下部プレートに対向する透明なＰＥＴ樹脂シートと、ＰＥＴ樹脂シートの下部プレートに対する非対向面に配置された透明な保護シートとから形成され、保護シートが、透明な合成樹脂と前記合成樹脂に練り込まれた透明なセラミック粉末とから作られ、ＰＥＴ樹脂シートの非対向面に塗布された透明なＵＶ樹脂をバインダーとして非対向面に接合されている。
【発明の効果】
【００１７】
本発明にかかる足拭き機能および広告機能付きフロアーマットによれば、所定の宣伝広告を表示した広告シートを着脱可能な広告マットを有し、足拭きマット自体や設置マット自体を替えることなく、広告マットにおいて広告シートを差し替えることができるから、広告マットにおいて多種多様な広告を掲載することができ、宣伝広告の変更要求に即時かつ適時に対応することができる。フロアーマットは、宣伝広告の変更が生じたとしても、足拭きマット自体や設置マット自体を替える必要がないから、その分の手間や費用を省くことができる。フロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝広告効果を最大限に発揮させることができる。フロアーマットは、足拭きマットと設置マットとが着脱可能であるから、１つのマットで足拭き機能と宣伝広告機能との両機能を同時に利用することができるとともに、使用によって足拭きマットの足拭き機能が低下したとしても、その足拭きマットを取り外して新たな足拭きマットを設置マットに連結することができるから、足拭き機能が低下した足拭きマットのみを交換することで足拭き機能を回復させることができ、常に足拭き機能を有する状態で宣伝広告機能を発揮させることができる。このフロアーマットは、連結フレームの外周縁部が設置マットの外側に向かうにつれて下り勾配に傾斜し、連結フレームの内周縁部が設置マットの内側に向かうにつれて下り勾配に傾斜しているから、フロアーマット上を通る人のつまずきを防ぐことができる。
【００１８】
上部プレートの周縁部と下部プレートの周縁部とのうちの互いに重なり合う部分が第２係合手段を介して着脱可能に係合する足拭き機能および広告機能付きフロアーマットは、上下部プレートの周縁部の互いに重なり合う部分が係合することで、広告シートを上下部プレートの間に確実に固定することができ、上下部プレートの周縁部の係合を解除することで、広告シートを自由に差し替えることができる。このフロアーマットは、足拭きマット自体や設置マット自体を替えることなく、広告マットにおいて広告シートを自由に差し替えることができるから、広告マットにおいて多種多様な広告を掲載することができ、宣伝広告の変更要求に即時かつ適時に対応することができるのみならず、宣伝場所や宣伝目的に合致した最適な宣伝広告を行うことができ、宣伝広告効果を最大限に発揮させることができる。
【００１９】
下部プレートの周縁部と固定フレームの内周縁部の凹部分とが第１係合手段を介して着脱可能に係合する足拭き機能および広告機能付きフロアーマットは、下部プレートの周縁部と固定フレームの内周縁部の凹部分とが係合するから、下部プレートの周縁部と固定フレームの内周縁部との不用意なずれ動きを防ぐことができるとともに、上部プレートの周縁部が下部プレートの周縁部と連結フレームの内周縁部の当接部分との間に挟み込まれた状態で固定され、広告シートを上下部プレートの間に確実に固定することができる。このフロアーマットは、足拭きマット自体や設置マット自体を替えることなく、広告マットにおいて広告シートを自由に差し替えることができるから、広告マットにおいて多種多様な広告を掲載することができ、宣伝広告の変更要求に即時かつ適時に対応することができるのみならず、宣伝場所や宣伝目的に合致した最適な宣伝広告を行うことができ、宣伝広告効果を最大限に発揮させることができる。
【００２０】
連結フレームの内周縁部の当接部分と上部プレートの周縁部とが第３係合手段を介して着脱可能に係合する足拭き機能および広告機能付きフロアーマットは、連結フレームの内周縁部の当接部分と上部プレートの周縁部とが係合するから、連結フレームの内周縁部と上部プレートの周縁部との不用意なずれ動きを防ぐことができるとともに、上部プレートの周縁部が下部プレートの周縁部と連結フレームの内周縁部の当接部分との間に挟み込まれた状態で固定され、広告シートを上下部プレートの間に確実に固定することができる。このフロアーマットは、足拭きマット自体や設置マット自体を替えることなく、広告マットにおいて広告シートを自由に差し替えることができるから、広告マットにおいて多種多様な広告を掲載することができ、宣伝広告の変更要求に即時かつ適時に対応することができるのみならず、宣伝場所や宣伝目的に合致した最適な宣伝広告を行うことができ、宣伝広告効果を最大限に発揮させることができる。
【００２１】
第１係合手段が固定フレームの内周縁部の凹部分に取り付けられた雄ファスナと雌ファスナとのいずれか一方と下部プレートの周縁部に取り付けられた雄ファスナと雌ファスナとのいずれか他方とである足拭き機能および広告機能付きフロアーマットは、下部プレートの周縁部と固定フレームの内周縁部の凹部分とがメカニカルファスナを介して係合するから、下部プレートの周縁部と固定フレームの内周縁部との不用意なずれ動きを防ぐことができるとともに、上部プレートの周縁部が下部プレートの周縁部と連結フレームの内周縁部の当接部分との間に挟み込まれた状態で固定され、広告シートを上下部プレートの間に確実に固定することができる。フロアーマットは、固定フレームの内周縁部と下部プレートの周縁部とのメカニカルファスナによる係合を解除することで、広告シートを自由に差し替えることができ、宣伝広告の変更要求に即時かつ適時に対応することができる。
【００２２】
第２係合手段が上部プレートの周縁部と下部プレートの周縁部とのいずれか一方に貼着された粘着剤である足拭き機能および広告機能付きフロアーマットは、上部プレートの周縁部と下部プレートの周縁部との互いに重なり合う部分が粘着剤を介して係合することで、上下部プレートの不用意なずれ動きを防ぐことができ、広告シートを上下部プレートの間に確実に固定することができる。フロアーマットは、上部プレートの周縁部と下部プレートの周縁部との粘着剤による係合を解除することで、広告シートを自由に差し替えることができ、宣伝広告の変更要求に即時かつ適時に対応することができる。
【００２３】
第３係合手段が連結フレームの内周縁部の当接部分と上部プレートの周縁部とのいずれか一方に貼着された粘着剤である足拭き機能および広告機能付きフロアーマットは、連結フレームの内周縁部の当接部分と上部プレートの周縁部とが粘着剤を介して係合するから、連結フレームの内周縁部と上部プレートの周縁部との不用意なずれ動きを防ぐことができるとともに、上部プレートの周縁部が下部プレートの周縁部と連結フレームの内周縁部の当接部分との間に挟み込まれた状態で固定され、広告シートを上下部プレートの間に確実に固定することができる。
【００２４】
足拭きマットの端部と設置マットの端部とが連結手段を介して連結され、その連結手段が足拭きマットの端部に取り付けられた雄ファスナと雌ファスナとのいずれか一方と設置マットの端部に取り付けられた雄ファスナと雌ファスナとのいずれか他方とである足拭き機能および広告機能付きフロアーマットは、足拭きマットと設置マットとがメカニカルファスナを介して連結されるから、足拭きマットと設置マットとの不用意な分離を防ぐことができ、１つのマットで足拭き機能と宣伝広告機能との両機能を同時に利用することができる。このフロアーマットは、足拭きマットと設置マットとがメカニカルファスナを介して着脱可能であり、使用によって足拭きマットの足拭き機能が低下したとしても、その足拭きマットを取り外して新たな足拭きマットを設置マットに連結することができるから、足拭き機能が低下した足拭きマットのみを交換することで足拭き機能を回復させることができ、常に足拭き機能を有する状態で宣伝広告機能を発揮させることができる。
【００２５】
足拭きマットがゴム系素材から作られたラバー部とそのラバー部の上に形成された足拭き用のパイル部とを備え、ゴム系素材の設置マットの端部が足拭きマットの端部の下に所定面積重なった状態で連結され、連結手段が設置マットの端部に足拭きマットのラバー部およびパイル部の重量が作用することによる設置マットの端部と足拭きマットのラバー部との摩擦係合力である足拭き機能および広告機能付きフロアーマットは、足拭きマットと設置マットとが互いの摩擦係合力によって連結されるから、足拭きマットと設置マットとの不用意な分離を防ぐことができ、１つのマットで足拭き機能と宣伝広告機能との両機能を同時に利用することができる。このフロアーマットは、足拭きマットと設置マットとが着脱可能であり、使用によって足拭きマットの足拭き機能が低下したとしても、その足拭きマットを取り外して新たな足拭きマットを設置マットに連結することができるから、足拭き機能が低下した足拭きマットのみを交換することで足拭き機能を回復させることができ、常に足拭き機能を有する状態で宣伝広告機能を発揮させることができる。
【００２６】
設置マットの内側に向かって延びる可撓性のフランジ部が設置マットの足拭きマットと連結する端部を除いた残余の端部に形成され、広告マットを設置マットの上に載置したときに、連結フレームの外周縁部が設置マットの端部とフランジ部との間に挟まれた状態で固定される足拭き機能および広告機能付きフロアーマットは、広告マットを設置マットの上に載置したときに、広告マットが設置マットの上に固定されるから、広告マットが設置マットから外れることはなく、マットにおける宣伝広告機能を確実に発揮させることができる。このフロアーマットは、設置マットの上における広告マットの不用意なずれ動きを防ぐことができるから、フロアーマット上を通る人のつまずきを防ぐことができる。
【００２７】
上部プレートが透明なＰＥＴ樹脂シートと保護シートとから形成され、保護シートが透明な合成樹脂と合成樹脂に練り込まれた透明なセラミック粉末とから作られ、その保護シートがＰＥＴ樹脂シートの非対向面に塗布された透明なＵＶ樹脂をバインダーとして非対向面に接合された足拭き機能および広告機能付きフロアーマットは、高い耐衝撃性と優れた強度とを有する保護シートをＰＥＴ樹脂シートに接合することによって上部プレートの強度が向上し、上部プレートが踏みつけられたとしても上部プレートが傷つき難く、上部プレートを長期間にわたって連続的に使用することができる。
【図面の簡単な説明】
【００２８】
【図１】一例として示す足拭き機能および広告機能付きフロアーマットの斜視図。
【図２】図１のＡ−Ａ線矢視断面図。
【図３】図１のＢ−Ｂ線端面図。
【図４】足拭きマットと設置マットと広告マットとを分離した状態で示すそれらマットの斜視図。
【図５】広告マットの分解斜視図。
【図６】他の一例として示す足拭き機能および広告機能付きフロアーマットの斜視図。
【図７】図６のＣ−Ｃ線端面図。
【図８】図６のＤ−Ｄ先端面図。
【図９】足拭きマットと設置マットおよび広告マットとを分離した状態で示すそれらマットの斜視図。
【発明を実施するための形態】
【００２９】
一例として示す足拭き機能および広告機能付きフロアーマット１０Ａの斜視図である図１等の添付の図面を参照し、本発明に係る足拭き機能および広告機能付きフロアーマットの詳細を説明すると、以下のとおりである。なお、図２は、図１のＡ−Ａ線矢視断面図であり、図３は、図１のＢ−Ｂ線端面図である。図４は、足拭きマット１１と設置マット１２と広告マット１３とを分離した状態で示すそれらマット１１〜１３の斜視図であり、図５は、広告マット１３の分解斜視図である。図１では、前後方向を矢印Ｘ、横方向を矢印Ｙで示し、上下方向を矢印Ｚで示す。
【００３０】
足拭き機能および広告機能付きフロアーマット１０Ａは、販売品またはレンタル品として料金の支払いにより、店舗や宿泊施設、娯楽施設、生産施設、受付フロアー等の出入口や床等に設置され、店舗や宿泊施設、娯楽施設、生産施設、受付フロアー等において所定の商品や役務の宣伝広告に利用される。足拭き機能および広告機能付きフロアーマット１０Ａは、足拭きマット１１と、足拭きマット１１に着脱可能に連結される設置マット１２と、設置マット１２の上に着脱可能に載置（固定）される広告マット１３とから構成されている。
【００３１】
足拭きマット１１は、図１，４に示すように、所定面積を有し、その平面形状が横方向へ長い矩形に成型されている。足拭きマット１１は、足拭き機能を有する。足拭きマット１１は、ラバー部１４と、ラバー部１４の上に形成されたパイル部１５とから作られている。ラバー部１４は、その平面形状が横方向へ長い矩形に成型され、前後方向へ延びる両端縁部１６，１７（端部）と、横方向へ延びる両側縁部１８，１９（端部）とを有する。ラバー部１４は、ゴム系素材から作られ、可撓性かつ弾力性を有する。ラバー部１４の一方の側縁部１９（端部）の下面には、図２に示すように、縦方向へ直状に延びるメカニカルファスナの雄ファスナ２０（連結手段）が取り付けられている。
【００３２】
パイル部１５は、ラバー部１４の両端縁部１６，１７および両側縁部１８，１９を除く残余の領域に形成されている。パイル部１５は、図示はしていないが、給水繊維とフィラメント（ナイロンモノフィラメント、レーヨンモノフィラメント、アクリルモノフィラメント、ポリエステルモノフィラメント等）との着色されたコンビネーションパイルであり、油系吸着剤加工が施され、抗菌剤が錬り込まれている。パイル部１５は、吸水性や保水性、吸着性、抗菌性に優れ、履物の靴裏の水分を吸収し、靴裏の塵埃や泥汚れを取り去る。また、素足の足裏の水分を吸収し、足裏の塵埃や汚れを取り去る。なお、足拭きマット１１の平面形状を図示の矩形に限定するものではなく、他のあらゆる形状に成型することができる。また、パイル部１５はコンビネーションパイルのみならず、現在販売やレンタルされている足拭きマットのパイルとして利用されている他のあらゆる形態を採用することができる。
【００３３】
設置マット１２は、図４に示すように、所定面積を有し、足拭きマット１１のラバー部１４と同一のゴム系素材から作られ、可撓性かつ弾力性を有する。設置マット１２は、その平面形状が横方向へ長い矩形に成型され、前後方向へ延びる両端縁部２１，２２（端部）と、横方向へ延びる両側縁部２３，２４（端部）とを有する。なお、設置マット１２の平面形状を図示の矩形に限定するものではなく、他のあらゆる形状に成型することができる。設置マット１２の一方の側縁部２３（端部）の上面には、横方向へ直状に延びるメカニカルファスナの雌ファスナ２５（連結手段）が取り付けられている。
【００３４】
設置マット１２の両端縁部２１，２２には、上下方向上方へ凸となって前後方向へ直状に延びる凸部２６と、凸部２６につながって設置マット１２の内側へ向かって延びる可撓性のフランジ部４８とが形成されている。設置マット１２の他方の側縁部２４には、上下方向上方へ凸となって横方向へ直状に延びる凸部２６と、凸部２６につながって設置マット１２の内側へ向かって延びる可撓性のフランジ部４８とが形成されている。設置マット１２の両端縁部２１，２２とフランジ部４８との間には、後記する連結フレーム２９の外周縁部４０を挿脱可能に挿入するポケット４９が形成されている。設置マット１２の側縁部２４とフランジ部４８との間には、連結フレーム２９の外周縁部４０を挿脱可能に挿入するポケット４９が形成されている。
【００３５】
足拭きマット１１のラバー部１４の側縁部１９の下面と設置マット１２の側縁部２３の上面とを重ね合わせると、ラバー部１４の側縁部１９に取り付けられた雄ファスナ２０と設置マット１２の側縁部２３に取り付けられた雌ファスナ２５とが係合し、足拭きマット１１と設置マット１２とを連結することができる。また、ラバー部１４の側縁部１９の雄ファスナ２０と設置マット１２の側縁部２３の雌ファスナ２５との係合を解除することで、足拭きマット１１と設置マット１２とを分離することができる。
【００３６】
広告マット１３は、所定の宣伝広告の掲載に利用され、宣伝広告機能を発揮する。広告マット１３は、図４に示すように、所定面積を有し、その平面形状が横方向へ長い矩形を呈する。広告マット１３の面積は、設置マット１２のそれよりもわずかに小さい。広告マット１３は、下部プレート２７および透明な上部プレート２８と、連結フレーム２９とから形成されている。
【００３７】
下部プレート２７は、透明または着色されたプラスチックあるいはラバー部１４や設置マット１２と同一のゴム系素材から作られ、可撓性かつ弾力性を有する。下部プレート２７は、その平面形状が横方向へ長い矩形に成型され、前後方向へ延びる両端縁部３０，３１（周縁部）と、横方向へ延びる両側縁部３２，３３（周縁部）とを有する。下部プレート２７の上には、広告シート３４が着脱可能に載置される。広告シート３４は、横方向へ長い矩形の紙やプラスチックシートから作られ、図示はしていないが、その少なくとも一面に所定の宣伝広告（文字、図形、記号、写真等の広告媒体）が表示されている。
【００３８】
下部プレート２７の両端縁部３０，３１（周縁部）には、前後方向へ直状に延びるメカニカルファスナの雄ファスナ３５（第１係合手段）が取り付けられ、下部プレート２７の両側縁部３２，３３（周縁部）には、横方向へ直状に延びるメカニカルファスナの雄ファスナ３５（第１係合手段）が取り付けられている。下部プレート２７の両端縁部３２，３３（周縁部）のうちの雄ファスナ３５の内側（下部プレート２７の両端縁部３０，３１と上部プレート２８の両端縁部３７，３８とのうちの互いに重なり合う部分）には、前後方向へ直状に延びる両面粘着テープ３６（粘着剤）（第２係合手段）が貼着されている（図２参照）。下部プレート２７の両側縁部３２，３３（周縁部）のうちの雄ファスナ３５の内側（下部プレート２７の両側縁部３２，３３と上部プレート２８の両側縁部３９，４０とのうちの互いに重なり合う部分）には、横方向へ直状に延びる両面粘着テープ３６（粘着剤）（第２係合手段）が貼着されている（図３参照）。
【００３９】
上部プレート２８は、その平面形状が横方向へ長い矩形に成型され、前後方向へ延びる両端縁部３７，３８（周縁部）と、横方向へ延びる両側縁部３９，４０（周縁部）とを有する。上部プレート２８の面積は、下部プレート２７のそれよりもわずかに小さく、下部プレート２７の上に着脱可能に載置される。上部プレート２８は、図示はしていないが、下部シート２７に対向する透明なＰＥＴ樹脂シートと、ＰＥＴ樹脂シートの上面に配置された透明な保護シートとから作られ、可撓性かつ弾力性を有する。ＰＥＴ樹脂シートは、下部シート２７に対向する下面と、下部シート２７に非対向の上面（非対向面）とを有する。保護シートは、透明な合成樹脂と、その合成樹脂に練り込まれた透明なセラミック粉末とから作られている。保護シートは、ＰＥＴ樹脂シートの上面に塗布された透明なＵＶ樹脂をバインダーとしてＰＥＴ樹脂シートの上面に接合されている。
【００４０】
上部プレート２８を形成する保護シートは、それが合成樹脂とその合成樹脂に練り込まれたセラミック粉末とから作られることで、高い耐衝撃性を備え、優れた強度を有する。ゆえに、ＵＶ樹脂をバインダーとしてＰＥＴ樹脂シートに保護シートを接合することによって上部プレート２８の強度が向上し、上部プレート２８が踏みつけられたとしても上部プレート２８が傷つき難く、上部プレート２８を長期間にわたって連続的に使用することができる。
【００４１】
連結フレーム２９は、上下部プレート２７，２８の両端縁部３０，３１，３７，３８の上に着脱可能に載置されるとともに、上下部プレート２７，２８の両側縁部３２，３３，３９，４０の上に着脱可能に載置される。連結フレーム２９は、図７に示すように、その平面形状が横方向へ長い矩形に成型されている。連結フレーム２９は、設置マット１２の両端縁部２１，２２（周縁部）の上に重なるとともに両側縁部２３，２４（周縁部）の上に重なる外周縁部４１と、上下部プレート２７，２８の両端縁部３０，３１，３７，３８（周縁部）の上に重なるとともに両側縁部３２，３３，３９，４０（周縁部）の上に重なる内周縁部４２とを有する。
【００４２】
連結フレーム２９の外周縁部４１は、設置マット１２の外側に向かうにつれて下り勾配に傾斜し、その先端の厚み寸法（上下方向の寸法）が略０である。連結フレーム２９の内周縁部４２は、設置マット１２の内側に向かうにつれて下り勾配に傾斜し、その先端の厚み寸法（上下方向の寸法）が略０である。
【００４３】
連結フレーム２９の内周縁部４２は、上部プレート２８の両端縁部３７，３８（周縁部）に当接するとともに両側縁部３９，４０（周縁部）に当接する当接部分４３と、当接部分４３の外側に位置して上下方向下方へ凸となる凸部分４４と、凸部分４４の外側に位置して上下方向上方へ凹む凹部分４５とを有する。連結フレーム２９を上下部プレート２７，２８に載置すると、凸部分４４と凹部分４５とが下部プレート２７の両端縁部３０，３１および両側縁部３２，３３に対向する。
【００４４】
上部プレート２８の両端縁部３７，３８と並行して前後方向へ延びる当接部分４３には、前後方向へ直状に延びる両面粘着テープ４６（粘着剤）（第３係合手段）が貼着されている。上部プレート２８の両側縁部３９，４０と並行して横方向へ延びる当接部分４３には、横方向へ直状に延びる両面粘着テープ４６（粘着剤）（第３係合手段）が貼着されている。下部プレート２７の両端縁部３０，３１と並行して前後方向へ延びる凹部分４５には、前後方向へ直状に延びるメカニカルファスナの雌ファスナ４７（第１係合手段）が取り付けられている。下部プレート２７の両側縁部３２，３３に並行して横方向へ延びる凹部分４５には、横方向へ直状に延びるメカニカルファスナの雌ファスナ４７（第１係合手段）が取り付けられている。
【００４５】
以下、図１の足拭き機能および広告機能付きフロアーマット１０Ａの使用手順の一例を説明する。最初に上部プレート２８と下部プレート２７との間に広告シート３４を設置する。図４に示すように、広告マット１３を設置マット１２の上から取り外す。広告マット１３を設置マット１２から取り外すには、設置マット１２のフランジ部４８を上下方向上方へ捲り上げ、連結フレーム２９の外周縁部４１をポケット４９の外に出す。広告マット１３を設置マット１２から取り外した後、連結フレーム２９を上下部プレート２７，２８から離間させる方向へ引っ張り、連結フレーム２９の当接部分４３に貼着された粘着テープ４６の粘着力に抗して連結フレーム２９と上部プレート２８との係合を解除するとともに、下部プレート２７に取り付けられた雄ファスナ３５と連結フレーム２９の凹部４５に取り付けられた雌ファスナ４７との係合を解除し、図５に示すように、上下部プレート２７，２８と連結フレーム２９とを分離する。
【００４６】
上下部プレート２７，２８と連結フレーム２９とを分離した後、上部プレート２８を下部プレート２７から離間させる方向へ引っ張り、下部プレート２７に貼着された粘着テープ３６の粘着力に抗して上部プレート２８と下部プレート２７との係合を解除し、上部プレート２８と下部プレート２７と分離させる。上部プレート２８と下部プレート２７と分離させた後、下部プレート２７の上に広告シート３４を載置する。下部プレート２７に広告シート３４を載置した後、下部プレート２７の上に上部プレート２８を載置し、粘着テープ３６を介して上部プレート２８と下部プレート２７とを再び係合させる。
【００４７】
広告シート３４は、上部プレート２８と下部プレート２７との間に挟まれた状態でそれらプレート２７，２８に固定される。広告シート３４の宣伝広告を表示した面を透明な上部プレート２８に対向させることで、上部プレート２８を通して広告シート３４に表示された宣伝広告を視認することができる。
【００４８】
次に、上下部プレート２７，２８の両端縁部３０，３１，３７，３８および両側縁部３２，３３，３９，４０の上に連結フレーム２９を載置し、連結フレーム２９の当接部分４３に貼着された粘着テープ４６を介して連結フレーム２９の当接部分４３と上部プレート２８の両端縁部３７，３８および両側縁部３９，４０とを再び係合させるとともに、連結フレーム２９の凹部分４５に取り付けられた雌ファスナ４７と下部プレート２７の両端縁部３０，３１および両側縁部３２，３３に取り付けられた雄ファスナ３５とを再び係合させ、連結フレーム２９と上下部プレート２７，２８とを連結させて広告マット１３を組み立てる。連結フレーム２９と上下部プレート２７，２８とを連結させると、上部プレート２８の両端縁部３７，３８および両側縁部３９，４０が下部プレート２７の両端縁部３０，３１および両側縁部３２，３３と連結フレーム２９の内周縁部４２との間に挟み込まれた状態で固定される。
【００４９】
連結フレーム２９と上下部プレート２７，２８とを連結させて広告マット１３を組み立てた後、その広告マット１３を設置マット１２の上に載置する。広告マット１３を設置マット１２の上に載置する場合、設置マット１２のフランジ部４８を上下方向上方へ捲り上げ、連結フレーム２９の外周縁部４１をポケット４９の中に入れる。広告マット１３を設置マット１２の上に載置すると、連結フレーム２９の外周縁部４１が設置マット１２の両端縁部２１，２２および両側縁部２３，２４の上に重なり、連結フレーム２９の内周縁部４２が上下部プレート２７，２８の両端縁部３０，３１，３７，３８および両側縁部３２，３３，３９，４０に重なる。広告マット１３の連結フレーム２９の外周縁部４１がポケット４９に進入し、外周縁部４１が設置マット１２の両端縁部２１，２２とフランジ部４８との間に挟まれた状態で固定され、外周縁部４１が設置マット１２の側縁部２４とフランジ部４８との間に挟まれた状態で固定される。さらに、広告マット１３の下部プレート２７と設置マット１２とが重なり、広告マット１３の重量が設置マット１２に作用することによる下部プレート２７と設置マット１２との摩擦係合力により、広告マット１３が設置マット１２に固定される。ゆえに、広告マット１３が設置マット１２上において不用意にずれ動くことはない。
【００５０】
広告シート３４を設置した広告マット１３を設置マット１２に載置した後、このフロアーマット１０Ａを店舗や宿泊施設、娯楽施設、生産施設、受付フロアー等の出入口や床等に置く。店舗や宿泊施設、娯楽施設、生産施設、受付フロアー等を利用する人がこのフロアーマット１０Ａの上（広告マット１３の上）を通過するときに、広告シート３４の宣伝広告が上部プレート２８を透過して目に入り、その宣伝広告の内容を認識する。人が足拭きマット１１の上を通過するときに、パイル部１５が靴裏についた水分を吸収し、靴裏の塵埃や泥汚れを取り去る。また、パイル部１５が足裏の水分を吸収し、足裏の塵埃や汚れを取り去る。
【００５１】
なお、足拭きマット１１を所定期間使用すると、パイル部１５に塗布された油系吸着剤が希薄になり、足拭きマット１１のパイル部１５の足拭き機能が低下する。パイル部１５の足拭き機能が低下した場合、古い足拭きマット１１を新たな足拭きマット１１に交換する。足拭きマット１１の交換は、足拭きマット１１のラバー部１４に取り付けられた雄ファスナ２０と設置マット１２に取り付けられた雌ファスナ２５との係合を解除し、古い足拭きマット１１と設置マット１２とを分離させた後、新たな足拭きマット１１のラバー部１４の雄ファスナ２０と設置マット１２の雌ファスナ２５とを係合させ、新たな足拭きマット１１と設置マット１２とを連結する。古い足拭きマット１１は、それの再処理を行う業者に回収される。古い足拭きマット１１を回収した業者は、回収した足拭きマット１１を再処理工場において再処理し、パイル部１５の足拭き機能を回復させる。
【００５２】
宣伝広告の変更が必要となり、広告シート３４を差し替える場合、連結フレーム２９の外周縁部４１をポケット４９の外に出して広告マット１３を設置マット１２の上から取り外し、粘着テープ４６に粘着力に抗して連結フレーム２９と上部プレート２８との係合を解除するとともに、ファスナ３５，４７の係合を解除し、上下部プレート２７，２８と連結フレーム２９とを分離する。粘着テープ３６の粘着力に抗して上部プレート２８と下部プレート２７との係合を解除し、上部プレート２８と下部プレート２７と分離した後、下部プレート２７の上に新たな広告シート３４を載置し、粘着テープ３６を介して上部プレート２８と下部プレート２７とを再び係合させる。次に、上下部プレート２７，２８の両端縁部３０，３１，３７，３８および両側縁部３２，３３，３９，４０の上に連結プレート２９を載置し、粘着テープ４６を介して連結フレーム２９の当接部分４３と上部プレート２８とを係合させるとともに、ファスナ３５，４７を係合させて連結フレーム２９と上下部プレート２７，２８とを連結させて広告マット１３を組み立てた後、連結フレーム２９の外周縁部４１をポケット４９の中に入れ、その広告マット１３を設置マット１２の上に載置する。
【００５３】
足拭き機能および広告機能付きフロアーマット１０Ａは、所定の宣伝広告を表示した広告シート３４を着脱可能な広告マット１３を有し、足拭きマット１１自体や設置マット１２自体を替えることなく、広告マット１３において広告シート３４を差し替えることができるから、広告マット１３において多種多様な広告を掲載することができ、宣伝広告の変更要求に即時かつ適時に対応することができる。フロアーマット１０Ａは、宣伝広告の変更が生じたとしても、足拭きマット１１自体や設置マット１２自体を替える必要がないから、その分の手間や費用を省くことができる。フロアーマット１０Ａは、各種の広告シート３４を配置した状態で、それを自由に移動させることができるから、必要な場所において宣伝広告を行うことができ、さらに、必要に応じて広告シート３４を自由に差し替えることができるから、宣伝場所や宣伝目的に合致した最適な広告を行うことができ、宣伝広告効果を最大限に発揮させることができる。
【００５４】
フロアーマット１０Ａは、足拭きマット１１と設置マット１２とが着脱可能であるから、１つのマット１０Ａで足拭き機能と宣伝広告機能との両機能を同時に利用することができるとともに、使用によって足拭きマット１１の足拭き機能が低下したとしても、その足拭きマット１１を取り外して新たな足拭きマット１１を設置マット１２に連結することができ、常に足拭き機能を有する状態で宣伝広告機能を発揮させることができる。
【００５５】
フロアーマット１０Ａは、下部プレート２７の両端縁部３０，３１および両側縁部３２，３３と連結フレーム２９の内周縁部４２の凹部分４５とが係合するとともに、連結フレーム２９の内周縁部４２の当接部分４３と上部プレート２８の両端縁部３７，３８および両側縁部３９，４０とが係合するから、上部プレート２８の両端縁部３７，３８および両側縁部３９，４０が下部プレート２７の両端縁部３０，３１および両側縁部３２，３３と連結フレーム２９の内周縁部４２の当接部分４３との間に挟み込まれた状態で固定され、下部プレート２７と連結フレーム２９との不用意なずれ動きや連結フレーム２９と上部プレート２８との不用意なずれ動きを防ぐことができ、広告シート３４を上下部プレート２７，２８の間に確実に固定することができる。
【００５６】
フロアーマット１０Ａは、連結フレーム２９の外周縁部４１がポケット４９に進入し、外周縁部４１が設置マット１２の両端縁部２１，２２および側縁部２４とフランジ部４８との間に挟まれた状態で固定されるから、広告マット１３が設置マット１２から外れることはなく、マット１０Ａにおける宣伝広告機能を確実に発揮させることができる。フロアーマット１０Ａは、連結フレーム２９の外周縁部４１が下り勾配に傾斜し、内周縁部４２が下り勾配に傾斜するとともに、広告マット１３が設置マット１２の上において不用意にずれ動くことがないから、フロアーマット１０Ａ上を通る人のつまずきを防ぐことができる。
【００５７】
図６は、他の一例として示す足拭き機能および広告機能付きフロアーマット１０Ｂの斜視図であり、図７は、図６のＣ−Ｃ線端面図である。図８は、図６のＤ−Ｄ先端面図であり、図９は、足拭きマット１１と設置マット１２および広告マット１３とを分離した状態で示すそれらマット１１〜１３の斜視図である。図６では、前後方向を矢印Ｘ、横方向を矢印Ｙで示し、上下方向を矢印Ｚで示す。
【００５８】
この足拭き機能および広告機能付きフロアーマット１０Ｂが図１のそれと異なるところは足拭きマット１１と設置マット１２とを連結する連結手段としてそれらマット１１，１２の摩擦係合力を利用している点にあり、その他の構成は図１のフロアーマット１０Ａと同一である。したがって、図１のフロアーマット１０Ａと同一の構成については図１と同一の符号を付し、図１のフロアーマット１０Ａの説明を援用することで、このフロアーマット１０Ｂにおける同一の構成についての説明は省略する。このフロアーマット１０Ｂは、足拭きマット１１と、足拭きマット１１に着脱可能に連結される設置マット１２と、設置マット１２の上に着脱可能に載置（固定）される広告マット１３とから構成されている。足拭きマット１１や広告マット１３は、図１のフロアーマット１０Ａのそれらと同一である。
【００５９】
設置マット１２は、図９に示すように、所定面積を有し、足拭きマット１１のラバー部１４と同一のゴム系素材から作られ、可撓性かつ弾力性を有する。設置マット１２は、その平面形状が縦方向へ長い矩形に成型され、前後方向へ延びる両端縁部２１，２２（端部）と、横方向へ延びる両側縁部２３，２４（端部）とを有する。設置マット１２の両端縁部２１，２２には、上下方向上方へ凸となって前後方向へ直状に延びる凸部２６と、凸部２６につながって設置マット１２の内側へ向かって延びる可撓性のフランジ部４８とが形成されている。設置マット１２の他方の側縁部１９には、上下方向上方へ凸となって横方向へ直状に延びる凸部２６と、凸部２６につながって設置マット１２の内側へ向かって延びる可撓性のフランジ部４８とが形成されている。
【００６０】
設置マット１２の一方の側縁部１８（端部）には凸部２６が形成されておらず、平坦（フラット）な側縁部１８が横方向外方へ（設置マット１２の横方向外側に向かって）所定長さ延びている。設置マット１２の両端縁部２１，２２とフランジ部４８との間には、連結フレーム２９の外周縁部４０を挿脱可能に挿入するポケット４９が形成されている。設置マット１２の側縁部２４とフランジ部４８との間には、連結フレーム２９の外周縁部４０を挿脱可能に挿入するポケット４９が形成されている。
【００６１】
足拭きマット１１のラバー部１４の側縁部１９の下面と設置マット１２の平坦な側縁部２３（端部）の上面とを重ね合わせると、設置マット１２の側縁部２３が足拭きマット１１のラバー部１４およびパイル部１５の下に所定面積重なった状態となり、設置マット１２の側縁部２３に足拭きマット１１のラバー部１４とパイル部１５との重量が作用することによる設置マット１２の側縁部２３と足拭きマット１１のラバー部１４との摩擦係合力によってそれら側縁部１９，２３どうしが係合し、足拭きマット１１と設置マット１２とを連結することができる。足拭きマット１１と設置マット１２とは、それらの側縁部１９，２３の摩擦係合力によってそれらマット１１，１２の不用意なずれ動きが防止される。また、足拭きマット１１の側縁部１９を上下方向上方へ捲ると、側縁部１９，２３どうしの摩擦係合力が解除され、足拭きマット１１と設置マット１２とを分離することができる。
【００６２】
この足拭き機能および広告機能付きフロアーマット１０Ｂの使用手順の一例は、図１のマット１０Ａと同様に、最初に上下部プレート２７，２８の間に広告シート３４を設置する。広告シート３４の設置手順や上下部プレート２７，２８と連結フレーム２９との連結手順は図１のフロアーマット１０Ａのそれらと同一であるから、図１の説明を援用することで、それらの説明は省略する。また、広告シート３４を差し替える場合の手順は図１のフロアーマット１０Ａのそれと同一であるから、図１の説明を援用することで、その説明は省略する。なお、広告シート３４の宣伝広告を表示した面を透明な上部プレート２８に対向させることで、上部プレート２８を通して広告シート３４に表示された宣伝広告を視認することができる。
【００６３】
設置マット１２を店舗や宿泊施設、娯楽施設、生産施設、受付フロアー等の出入口や床等に置き、次に、広告シート３４を設置した広告マット１３を設置マット１２の上に載置する。さらに、足拭きマット１１のラバー部１４の側縁部１９を設置マット１２の側縁部２３の上に重ねて足拭きマット１１を設置マット１２の隣に置く。店舗や宿泊施設、娯楽施設、生産施設、受付フロアー等を利用する人がこのフロアーマット１０Ｂの上（広告マット１３の上）を通過するときに、広告シート３４の宣伝広告が上部プレート２８を透過して目に入り、その宣伝広告の内容を認識する。人が足拭きマット１１の上を通過するときに、パイル部１５が靴裏についた水分を吸収し、靴裏の塵埃や泥汚れを取り去る。また、パイル部１５が足裏の水分を吸収し、足裏の塵埃や汚れを取り去る。
【００６４】
足拭きマット１１のパイル部１５の足拭き機能が低下した場合、古い足拭きマット１１を新たな足拭きマット１１に交換する。足拭きマット１１の交換は、足拭きマット１１の側縁部１９を上下方向上方へ持ち上げ、側縁部１９を上下方向上方へ捲り、側縁部１９，２３どうしの摩擦係合力を解除し、足拭きマット１１と設置マット１２とを分離させる。足拭きマット１１と設置マット１２とを分離させた後、古い足拭きマット１１を取り除き、替わりに新たな足拭きマット１１を敷き、新たな足拭きマット１１の側縁部１９を設置マット１２の側縁部２３の上に載置する。新たな足拭きマット１１の側縁部１９を設置マット１２の側縁部２３の上に載置すると、足拭きマット１１の側縁部１９と設置マット１２の側縁部２３との摩擦係合力によってそれら側縁部１９，２３どうしが係合し、足拭きマット１１と設置マット１２とが連結される。なお、古い足拭きマット１１は、それの再処理を行う業者に回収される。
【００６５】
足拭き機能および広告機能付きフロアーマット１０Ｂは、所定の宣伝広告を表示した広告シート３４を着脱可能な広告マット１３を有し、足拭きマット１１自体や設置マット１２自体を替えることなく、広告マット１３において広告シート３４を差し替えることができるから、広告マット１３において多種多様な広告を掲載することができ、宣伝広告の変更要求に即時かつ適時に対応することができる。フロアーマット１０Ｂは、宣伝広告の変更が生じたとしても、足拭きマット１１自体や設置マット１２自体を替える必要がないから、その分の手間や費用を省くことができる。フロアーマット１０Ｂは、各種の広告シート３４を配置した状態で、それを自由に移動させることができるから、必要な場所において宣伝広告を行うことができ、さらに、必要に応じて広告シート３４を自由に差し替えることができるから、宣伝場所や宣伝目的に合致した最適な広告を行うことができ、宣伝広告効果を最大限に発揮させることができる。
【００６６】
フロアーマット１０Ｂは、足拭きマット１１と設置マット１２とが着脱可能であるから、１つのマット１０Ｂで足拭き機能と宣伝広告機能との両機能を同時に利用することができるとともに、使用によって足拭きマット１１の足拭き機能が低下したとしても、その足拭きマット１１を取り外して新たな足拭きマット１１を設置マット１２に連結することができ、常に足拭き機能を有する状態で宣伝広告機能を発揮させることができる。
【００６７】
フロアーマット１０Ｂは、下部プレート２７の両端縁部３０，３１および両側縁部３２，３３と連結フレーム２９の内周縁部４２の凹部分４５とが係合するとともに、連結フレーム２９の内周縁部４２の当接部分４３と上部プレート２８の両端縁部３７，３８および両側縁部３９，４０とが係合するから、上部プレート２８の両端縁部３７，３８および両側縁部３９，４０が下部プレート２７の両端縁部３０，３１および両側縁部３２，３３と連結フレーム２９の内周縁部４２の当接部分４３との間に挟み込まれた状態で固定され、下部プレート２７と連結フレーム２９との不用意なずれ動きや連結フレーム２９と上部プレート２８との不用意なずれ動きを防ぐことができ、広告シート３４を上下部プレート２７，２８の間に確実に固定することができる。
【００６８】
フロアーマット１０Ｂは、連結フレーム２９の外周縁部４１がポケット４９に進入し、外周縁部４１が設置マット１２の両端縁部２１，２２および側縁部２４とフランジ部４８との間に挟まれた状態で固定されるから、広告マット１３が設置マット１２から外れることはなく、マット１０における宣伝広告機能を確実に発揮させることができる。フロアーマット１０は、連結フレーム２９の外周縁部４１が下り勾配に傾斜し、内周縁部４２が下り勾配に傾斜するとともに、広告マット１３が設置マット１２の上において不用意にずれ動くことがないから、フロアーマット１０上を通る人のつまずきを防ぐことができる。
【符号の説明】
【００６９】
１０Ａ  足拭き機能および広告機能付きフロアーマット
１０Ｂ  足拭き機能および広告機能付きフロアーマット
１１    足拭きマット
１２    設置マット
１３    広告マット
１４    ラバー部
１５    パイル部
１６    両端縁部（周縁部）
１７    両端縁部（周縁部）
１８    両側縁部（周縁部）
１９    両側縁部（周縁部）
２０    雄ファスナ（連結手段）
２１    両端縁部（周縁部）
２２    両端縁部（周縁部）
２３    両側縁部（周縁部）
２４    両側縁部（周縁部）
２５    雌ファスナ（連結手段）
２７    下部プレート
２８    上部プレート
２９    連結フレーム
３０    両端縁部（周縁部）
３１    両端縁部（周縁部）
３２    両側縁部（周縁部）
３３    両側縁部（周縁部）
３４    広告シート
３５    雄ファスナ（第１係合手段）
３６    両面粘着テープ（第２係合手段）
３７    両端縁部（周縁部）
３８    両端縁部（周縁部）
３９    両側縁部（周縁部）
４０    両側縁部（周縁部）
４１    外周縁部
４２    内周縁部
４３    当接部分
４４    凸部分
４５    凹部分
４６    両面粘着テープ（第３係合手段）
４７    雌ファスナ（第１係合手段）
４８    フランジ部
４９    ポケット
【図１】
2012024466.tif 000003
【図２】
2012024466.tif 000004
【図３】
2012024466.tif 000005
【図４】
2012024466.tif 000006
【図５】
2012024466.tif 000007
【図６】
2012024466.tif 000008
【図７】
2012024466.tif 000009
【図８】
2012024466.tif 000010
【図９】
2012024466.tif 000011